(57)【要約】【課題】ケース本体部の内部空間内の空気を長期間、安定的に調湿することで、各種文化施設において好適に使用することができる展示ケースの提供。【解決手段】外気を遮断して仕切られる内部空間１２ａ内への展示物Ｄの配置が自在なケース本体部１２と、該ケース本体部１２を下支えする基台部５２とを少なくとも備えてなる展示ケース１１において、ケース本体部１２には、その下面開口部１７に略矩形を呈する珪藻土パネル２７を複数列となるように起立配置した調湿ボックス２３を含み、該調湿ボックス２３の上面開口部２３ａには、内部空間１２ａ側との通気を自在に形成された展示物Ｄ用の載置台３３を配設した。また、載置台３３には、照明器具２０からの照明光を受けて駆動されるソーラファン６２を配置し、該ソーラファン６２を介して調湿ボックス２３内と内部空間１２ａ内との間の空気の循環を自在とした。【選択図】図２
2008036059.tif 000002
【特許請求の範囲】
【請求項１】
外気を遮断して仕切られる内部空間内への展示物の配置を自在に形成されたケース本体部と、該ケース本体部を下支えする基台部とを少なくとも備えてなる展示ケースにおいて、
前記ケース本体部は、その下面開口部に略矩形を呈する珪藻土パネルを複数列となるように起立配置した調湿ボックスを含み、
該調湿ボックスの上面開口部には、前記内部空間側との通気を自在に形成された前記展示物用の載置台を配設したことを特徴とする展示ケース。
【請求項２】
前記ケース本体部は、前記内部空間内を照明する照明器具を備え、
前記載置台には、１以上の位置に前記照明器具からの照明光を受けて駆動されるソーラファンを配置し、該ソーラファンを介して前記調湿ボックス内と前記内部空間内との間の空気の循環を自在とした請求項１に記載の展示ケース。
【請求項３】
前記照明器具への給電線は、常に引っ張り方向へと付勢させた状態のもとで前記ケース本体部の内側コーナー部に沿わせて配線した請求項１または２に記載の展示ケース。
【請求項４】
前記調湿ボックスは、前記基台部内に設置された昇降手段を介して昇降自在に支持させた請求項１ないし３のいずれかに記載の展示ケース。
【発明の詳細な説明】
【技術分野】
【０００１】
本発明は、展示物を展示するケース本体部に対して気密性と調湿機能とを付与するすることで博物館、図書館および資料館を含む各種文化施設において好適に用いることができるようにした展示ケースに関する技術である。
【背景技術】
【０００２】
美術館や博物館や資料館用の展示ケースには、例えば下記非特許文献１の第１１頁に開示されているような気密性を有する展示ケースがある。
【非特許文献１】ＭＵＳＥＵＭ  ＦＡＣＩＬＩＴＩＥＳ〈美術館・博物館・資料館用家具〉コクヨ株式会社発行（平成１６年４月）
【０００３】
図５は、上記非特許文献１に記載されているエアタイトＩ型の展示ケースを示す説明図であり、展示ケース１の全体は、台座部２と、該台座部２上に一体的に取り付けられたケース本体部３とで構成されている。
【０００４】
そして、ケース本体部３は、前面開口部５を開閉自在に閉止する透明ガラス扉６と、調湿剤を設置するために下隅部に形成された調湿スペース７と、内部空間４の天井側に配設された照明部８とを備えている。該照明部８は、断熱ガラス８ａで仕切られた空間８ｂ内に照明器具８ｃを設置することで形成されている。
【発明の開示】
【発明が解決しようとする課題】
【０００５】
しかし、図５に示す展示ケース１は、ケース本体部３の内部空間４内の空気を調湿剤により調湿することはできても、該調湿剤が飽和しやすいこともあって、メンテナンスフリーの状態で内部空間４内の空気の全量を効率よく調湿することができない不都合があった。
【０００６】
本発明は、従来技術にみられた上記課題に鑑み、ケース本体部の内部空間内の空気を珪藻土パネルを介して長期に亘り安定的に調湿することで、博物館、図書館および資料館を含む各種文化施設において好適に使用することができる展示ケースを提供することを目的とする。
【課題を解決するための手段】
【０００７】
本発明は、上記目的を達成すべくなされたものであり、外気を遮断して仕切られる内部空間内への展示物の配置を自在に形成されたケース本体部と、該ケース本体部を下支えする基台部とを少なくとも備えてなる展示ケースにおいて、前記ケース本体部は、その下面開口部に略矩形を呈する珪藻土パネルを複数列となるように起立配置した調湿ボックスを含み、該調湿ボックスの上面開口部には、前記内部空間側との通気を自在に形成された前記展示物用の載置台を配設したことを最も主要な特徴とする。
【０００８】
この場合、前記ケース本体部は、前記内部空間内を照明する照明器具を備え、前記載置台には、その１以上の位置に前記照明器具からの照明光を受けて駆動されるソーラファンを配置し、該ソーラファンを介して前記調湿ボックス内と前記内部空間内との間の空気の循環を自在とするのが好ましい。
【０００９】
また、前記照明器具への給電線は、常に引っ張り方向へと付勢させた状態のもとで前記ケース本体部の内側コーナー部に沿わせて配線するのが望ましい。さらに、前記調湿ボックスは、前記基台部内に設置された昇降手段を介して昇降自在に支持させておくこともできる。
【発明の効果】
【００１０】
請求項１に係る発明によれば、展示ケースを構成しているケース本体部は、複数列の珪藻土パネルを有する調湿ボックスをその下面開口部に備え、かつ、該調湿ボックスの上面開口部を内部空間側と通気させているので、珪藻土パネルが発揮する調湿機能を利用して内部空間内を効果的に、かつ、永続的に調湿することができるので、展示物用の展示ケースとして各種文化施設において好適に用いることができる。
【００１１】
請求項２に係る発明によれば、載置台には、ケース本体部が備える照明器具からの照明光を受けて駆動される１以上のソーラファンを備えているので、該ソーラファンを介して調湿ボックス内と前記内部空間内との間の空気を強制的に循環させることにより、珪藻土パネルによる調湿機能をより効果的に発揮させることができる。
【００１２】
請求項３に係る発明によれば、照明器具のために用意される給電線は、ケース本体部の内側コーナー部に沿わせて常にぴんと張った状態のもとで配線することができるので、その存在を外側から目立たなくすることができる。
【００１３】
請求項４に係る発明によれば、載置台を備える調湿ボックスは、基台部内に設置された昇降手段を介して昇降自在に支持されているので、載置台上の展示物の交換をそれだけ円滑に行うことができる。
【発明を実施するための最良の形態】
【００１４】
図１は、本発明を構成している載置台を備える調湿ボックスの一例についての平面図を、図２は、本発明の全体についての一例としての縦断面構造説明図を、図３は、図１におけるＡ−Ａ線矢視方向での要部拡大断面図を、図４は、図１における囲繞枠Ｂ内の拡大図をそれぞれ示す。
【００１５】
これらの図によれば、展示ケース１１の全体は、外気を遮断して略直方体形状に仕切られる内部空間１２ａ内への展示物Ｄの配置を自在に形成されたケース本体部１２と、該ケース本体部１２を下支えする基台部５２とで構成されている。
【００１６】
このうち、ケース本体部１２は、上面と下面とを除く四周のそれぞれに矩形を呈するガラス板などからなる透明板１３が相互に例えば高透明性シリコーン接着剤などの接着剤２２を用いて接合固着された状態のもとで配置されており、それぞれの外表面１４ａが基台部３２側の外表面３２ａと面一となった配置関係のもとで下端面１５側を介して基台部５２上に一体的に下支えされて内部空間１２ａを画成している。
【００１７】
また、ケース本体部１２は、その下面開口部１７側に略矩形を呈する珪藻土パネル２７を複数列となるように起立配置した調湿ボックス２３を備えており、該調湿ボックス２３は、基台部５２内に設置された伸縮ジャッキなどからなる昇降手段５３を介して昇降自在に支持されている。なお、珪藻土パネル２７は、微粉末状の珪藻土を粘土状に加工して板状に成型し、これを焼結することで形成されている。また、珪藻土パネル２７は、微粉末状の珪藻土を予め脱色して白色に近くした上で、粘土状に加工して板状に成型し、これを焼結することで形成するものであってもよい。
【００１８】
すなわち、調湿ボックス２３は、基台部５２の面サイズとの関係で定まる適宜面サイズの略方形を呈する底板部２４と、該底板部２４の四周に立設された適宜高さの側板部２５とを備えて形成されている。
【００１９】
また、底板部２４上には、列毎に珪藻土パネル２７を直立させるなどしてその起立保持を自在に形成された断面略コ字形を呈する保持具２６が、底板部２４側にネジ止めするなどの適宜の固着手段を用いて平行に配列されており、これにより各列の保持具２６を介して複数列の珪藻土パネル２７を安定的に底板部２４上に起立配置することができるようになっている。
【００２０】
しかも、調湿ボックス２３の上面開口部２３ａは、内部空間１２ａ側との通気を自在に形成された載置台３３により覆われており、該載置台３３を介して展示物Ｄを安定的に展示することができるようになっている。
【００２１】
すなわち、該載置台３３は、基台部５２の上面にてその内方へと庇状に突出させた棚板部５５の開放縁５５ａにより囲繞される上面開口部５４を塞ぐことができる面サイズが付与されて形成されている。
【００２２】
そして、載置台３３は、棚板部５５の開放縁５５ａ寄りを覆う多数の通孔３５を穿設した金属材などからなるパンチングボード３４と、該パンチングボード３４の内方開口面を覆う面サイズが付与されて形成されている合板材３９ａの表面に布クロス材や無機質性クロス材などからなるクロス３９ｂを覆設してなる載置台部３９とで形成されている。
【００２３】
この場合、パンチングボード３４は、その内周縁３４ａ側に垂下片部３６を備え、載置台部３９は、その下面側に配置された支承面材４０の外周４０ａ側に直立片部４１を備えている。このため、パンチングボード３４と載置台部３９とは、図３に詳しく示されているように垂下片部３６と直立片部４１とを固着するなどして相互に一体的に連結され、その全体で載置台３３が形成されている。
【００２４】
また、パンチングボード３４には、計四カ所にソーラファン６２を構成しているソーラパネル６２ａを載置収納するための凹陥部３７と、各凹陥部３７の近隣位置に調湿ボックス２３の対面側に開口３８ａを有して同じくソーラファン６２を構成しているファン６２ｂを支持する支腕部３８とが形成されている。
【００２５】
さらに、調湿ボックス２３は、それぞれの側板部２５の上端側にＬ字形を呈して外側に水平片部２８ａを位置させた折曲部２８が周設されており、該折曲部２８を介して上面開口部２３ａの面サイズが縮小化されている。
【００２６】
一方、基台部５２には、折曲部２８における水平片部２８ａと対面する周囲領域に棚板部５５が形成されており、該棚板部５５の下面には、調湿ボックス２３を昇降手段５３を介して上昇させた際に水平片部２８ａとの圧接を自在としたスポンジゴム等の弾性材５６が配設されている。
【００２７】
したがって、ケース本体部１２の内部空間１２ａは、調湿ボックス２３を上昇させてその水平片部２８ａを基台部５２の弾性材５６に圧接させることにより、外気を遮断した密閉空間とすることができることになる。
【００２８】
また、ケース本体部１２の上面開口部１８は、上端面１５の側に開閉自在に取着された天板部１９を備え、該天板部１９の下面側には、多数本の蛍光管２０ａを配置するなどして形成される照明器具２０が断熱ガラスを透過する配置関係のもとで設置されている。
【００２９】
そして、該照明器具２０への給電は、例えば捩りコイルバネのように引っ張り方向に付勢させた２線式の給電線２１を一側線材２１ａと他側線材２１ｂとに引き離し、それぞれをピンと引っ張った状態で図４に示すようにケース本体部１２の内側コーナー１２ｂ側に各別に配線することで行われている。なお、図４に示す例は、ガラス板１３が単板ガラスである場合の配線例を示している。しかし、ガラス板１３が防犯上より有効とされる合わせガラスである場合には、中間膜が位置する部位に溝部を各別に設け、該溝部を介して一側線材２１ａもしくは他側線材２１ｂを配線することにより給電線２１の存在をより目立たなくすることができる。
【００３０】
一方、基台部５２は、図２および図３に示されているようにケース本体部１２を各ガラス板１３の下端面１４を介して棚板部５５側で下支えしており、その内部には昇降手段５３が設置されている。なお、図１および図４中の符号５７は、埋込み式のファイバーグラスとＬＥＤなどの発光素子とからなる埋込み式のファイバースポットライトを、図２中の符号５８は、アジャスター機能付きのキャスターをそれぞれ示す。
【００３１】
次に、本発明の作用・効果を図１に示す例について説明すれば、展示物Ｄを載置台３３上に載置させる際には、昇降手段５３を縮退方向に作動させて載置台３３ともども調湿ボックス２３を基台部５２内を最下位位置にまで降下させ、ケース本体部１２側から引き離す。
【００３２】
載置台３３上には、このような位置関係のもとで基台部５２側から展示物Ｄを載置した後、昇降手段５３を伸張方向に作動させる。載置台３３を備える調湿ボックス２３は、昇降手段５３を伸張させることで上昇し、やがて調湿ボックス２３の側板部２５が備える折曲部２８の水平片部２８ａが基台部５２の棚板部５５の下面側に配設されている弾性材５６と当接してその上昇を停止する。
【００３３】
このとき、ケース本体部１２の内部空間１２ａは、その下面開口部１７が調湿ボックス２３により気密状に塞がれる結果、外気を遮断した密閉空間とすることができることになる。
【００３４】
ケース本体部１２の内部空間１２ａ内をこのようにして気密空間とした後は、ケース本体部１２の天板部１９が備える照明器具２０を点灯させることで、その照明光が載置台３３におけるパンチングボード３４に配設されているソーラファン６２を構成しているソーラパネル６２ａに到達して電力を発生し、図示しないリード線を介して結線されているファン６２ｂを回転駆動させる。
【００３５】
該ファン６２ｂは、回転駆動させられることにより支腕部３８の開口３８ａを介して調湿ボックス２３の上面開口部２３ａ側へと空気を強制的に送り込む。
【００３６】
調湿ボックス２３内に送り込まれた空気は、複数列となって配列されている珪藻土パネル２７に接触しながらパンチングボード３４の通孔３５を経て内部空間１２ａ側へと還流する。
【００３７】
つまり、ケース本体部１２の内部空間１２ａ内の空気は、ファン６２ｂが回転を続ける限り調湿ボックス２３との間を循環し続けることになり、その際に珪藻土パネル２７と繰り返し接触させることにより、該珪藻土パネル２７が備える調湿機能を十分に発揮させて好ましい湿度に調整することができることになる。
【００３８】
しかも、照明器具２０への給電は、ケース本体部１２の内側コーナー部１３に沿わせて目立たなく各別に配線された一側線材２１ａと他側線材２１ｂとからなる給電線２１により行うことができる。
【００３９】
このため、ケース本体部１２の内部空間１２ａ内の空気は、見た目の煩雑感を一掃して長期に亘り安定的に調湿させることで、メンテナンスフリーを実現することができるので、博物館、図書館および資料館を含む各種文化施設における展示ケース１１として好適に使用することができることになる。
【００４０】
以上は、本発明を図示例に基づいて説明したものであり、その具体的な内容は、本発明の要旨を逸脱しない限り、種々の変形を加えることができる。例えば、基台部５２には、昇降手段５３を設置することなく、ケース本体部１２を直結し、例えばその背面側に位置する透明板を開閉自在に配設することもできる。また、パンチボード３４には、所望によりソーラファン６２を配設しないでおくこともできる。
【図面の簡単な説明】
【００４１】
【図１】本発明を構成している載置台を備える調湿ボックスの一例についての平面図。
【図２】本発明の全体についての一例としての縦断面構造説明図。
【図３】図１におけるＡ−Ａ線矢視方向での要部拡大断面図。
【図４】図１における囲繞枠Ｂ内の拡大図。
【図５】非特許文献１に記載されているエアタイトＩ型の展示ケースを示す説明図。
【符号の説明】
【００４２】
１１  展示ケース
１２  ケース本体部
１２ａ  内部空間
１３  内側コーナー部
１４  透明板
１４ａ  外表面
１５  下端面
１６  上端面
１７  下面開口部
１８  上面開口部
１９  天板部
２０  照明器具
２０ａ  蛍光管
２１  給電線
２１ａ  一側線材
２１ｂ  他側線材
２２  接着剤
２３  調湿ボックス
２３ａ  上面開口部
２４  底板部
２５  側板部
２６  保持具
２７  珪藻土パネル
２８  折曲部
２８ａ  水平片部
３３  載置台
３４  パンチングボード
３４ａ  内側縁
３５  通孔
３６  垂下片部
３７  凹陥部
３８  支腕部
３８ａ  開口
３９  載置台部
３９ａ  合板材
３９ｂ  無機質クロス
４０  支承面材
４０ａ  外周縁
４１  直立片部
５２  基台部
５２ａ  外表面
５３  昇降手段
５４  上面開口部
５５  棚板部
５６  弾性材
５７  ファイバースポットライト
５８  キャスター
６２  ソーラファン
６２ａ  ソーラパネル
６２ｂ  ファン
Ｄ  展示物
【図１】
2008036059.tif 000003
【図２】
2008036059.tif 000004
【図３】
2008036059.tif 000005
【図４】
2008036059.tif 000006
【図５】
2008036059.tif 000007